(57)【特許請求の範囲】
【請求項１】
撮影レンズ前面に開閉可能に取り付けられた少なくとも３枚の羽根部材より成るバリア部材と、該バリア部材を開閉させるバリア駆動手段とを有し、
前記バリア部材は、前記撮影レンズの光軸と略直交する同一面上で開閉するように構成された主羽根部材と副羽根部材から成り、前記副羽根部材は、前記主羽根部材の動きに追従して開閉することを特徴とするカメラのバリア装置。
【請求項２】
撮影レンズ前面に開閉可能に取り付けられたバリア部材と、撮影レンズを保持する鏡筒機構に連動して前記バリア部材を開閉させるバリア駆動手段とを有し、
前記バリア部材は、前記撮影レンズの光軸と略直交する同一面上で開閉するように構成された２枚の主羽根部材と２枚の副羽根部材から成り、前記副羽根部材は、前記主羽根部材の動きに追従して開閉することを特徴とするカメラのバリア装置。
【請求項３】
前記主羽根部材および前記副羽根部材は、光軸と平行な異なる回転軸を中心にそれぞれ回転することを特徴とする請求項１又は２に記載のカメラのバリア装置。
【請求項４】
前記主羽根部材と前記副羽根部材との間には、それぞれの羽根部材を閉方向または開方向に付勢する一つのばね部材が掛けられており、該ばね部材が前記バリア駆動手段の一部を成すことを特徴とする請求項１〜３の何れかに記載のカメラのバリア装置。
【発明の詳細な説明】
【０００１】
【発明の属する技術分野】
本発明は、撮影レンズの前面に配置されるカメラのバリア装置の改良に関するものである。
【０００２】
【従来の技術】
近年のカメラは、自動化、コンパクト化、ズーム化が進み、大変便利で高機能なものになってきている。撮影レンズ前面に配置されたバリア装置もその一つであり、ズーム機構や沈胴機構と連動して自動的に収納状態ではバリアが閉じる方式のものが主流になってきている。
【０００３】
また、カメラの小型化が進むと、撮影レンズを保持する鏡筒も益々小径化し、２枚の羽根部材では覆い切れなくなり、４枚の羽根部材を用いて構成するものも出ている。実開平３−６９１３３号に代表的な４枚構成のバリア機構が開示されている。この様な従来のバリア機構は、内側の２枚の羽根部材に対し外側の２枚の羽根部材は光軸と平行な軸に対し前方（または後方）に位置し、開口状態では重なる事によって小さい面積に収納できるように構成されており、そのために大きな撮影開口を得る事ができる。
【０００４】
【発明が解決しようとする課題】
しかしながら、上記の様な構成の４枚の羽根部材より成るバリア機構はその４枚の羽根部材を駆動するための複雑な機構を必要とし、スペースと部品点数が多いという問題を有している。また、４枚の羽根部材が光軸方向に重なりをもって配置されているので厚み方向（光軸方向）に大きくなり、鏡筒の全長が長くなるという欠点があった。
【０００５】
（発明の目的）
本発明の第１の目的は、少なくとも３枚の羽根部材より成るバリア部材を有しながら、構成の簡素化、小型化を達成しかつ大きな撮影開口を得ることのできるカメラのバリア装置を提供しようとするものである。
【０００６】
本発明の第２の目的は、主羽根部材と副羽根部材の保持機構の簡素化と羽根部材の開閉の効率化を図ることのできるカメラのバリア装置を提供しようとするものである。
【０００７】
本発明の第３の目的は、構成の簡素化と組立の簡単化を図ることのできるカメラのバリア装置を提供しようとするものである。
【０００８】
【課題を解決するための手段】
上記第１の目的を達成するために、請求項１に記載の発明は、撮影レンズ前面に開閉可能に取り付けられた少なくとも３枚の羽根部材より成るバリア部材と、該バリア部材を開閉させるバリア駆動手段とを有し、前記バリア部材は、前記撮影レンズの光軸と略直交する同一面上で開閉するように構成された主羽根部材と副羽根部材から成り、前記副羽根部材は、前記主羽根部材の動きに追従して開閉するカメラのバリア装置とするものである。
【０００９】
同じく上記第１の目的を達成するために、請求項２に記載の発明は、撮影レンズ前面に開閉可能に取り付けられたバリア部材と、撮影レンズを保持する鏡筒機構に連動して前記バリア部材を開閉させるバリア駆動手段とを有し、前記バリア部材は、前記撮影レンズの光軸と略直交する同一面上で開閉するように構成された２枚の主羽根部材と２枚の副羽根部材から成り、前記副羽根部材は、前記主羽根部材の動きに追従して開閉するカメラのバリア装置とするものである。
【００１０】
また、上記第２の目的を達成するために、請求項３に記載の発明は、主羽根部材および副羽根部材を、光軸と平行な異なる回転軸を中心にそれぞれ回転させる請求項１又は２に記載のカメラのバリア装置とするものである。
【００１１】
また、上記第３の目的を達成するために、請求項４に記載の発明は、主羽根部材と副羽根部材との間には、それぞれの羽根部材を閉方向または開方向に付勢する一つのばね部材が掛けられており、該ばね部材がバリア駆動手段の一部を成す請求項１〜３の何れかに記載のカメラのバリア装置とするものである。
【００１２】
【発明の実施の形態】
以下、本発明を図示の実施の形態に基づいて詳細に説明する。
【００１３】
図１〜図３は本発明の実施の一形態に係るカメラに具備されたバリア装置及び鏡筒機構の一部を示す図であり、詳しくは、図１はバリア装置及び鏡筒機構の一部を示す分解斜視図、図２はバリア装置の主要部分の斜視図、図３はバリア部材の閉又は開状態を示す正面図である。
【００１４】
これらの図において、１は一群レンズ筒であり、２は直進ガイド筒であり、これらは不図示の撮影レンズを保持する鏡筒機構の一部を成す鏡筒であり、鏡筒の動作に連動して光軸方向にそれぞれ進退するよう構成されている。３はバリア駆動リングであり、一群レンズ筒１のフランジ部１ａに光軸を中心に回転可能に保持され、曲げ部３ａは直進ガイド筒２のカム部２ａと係合するよう後方に伸びており、又ばね掛け部３ｂには一群レンズ筒１との間に羽根開きばね４が掛けられて該バリア駆動リング３を常に反時計方向に付勢している。５はバリア下板であり、６はバリア上板であり、曲げ部５ａが突起６ａに係合して合体され、前記一群筒１の前方に取り付けられる。
【００１５】
７，８は主羽根部材であり、光軸１２に平行な回転軸７ａ，８ａを中心に回転可能に前記バリア下板５とバリア上板６の間に保持されており、裏側には突起７ｃ，８ｃが植設され、後方へ伸びて前記バリア駆動リング３の端面３ｃに係合している。９，１０は前記主羽根部材７，８と前記光軸１２と略直交する同一平面に配置された副羽根部材であり、光軸１２に平行な回転軸９ａ，１０ａを中心に回転可能にバリア下板５とバリア上板６の間に保持されている。１１は羽根閉じばねであり、図３に示すように、ばね掛け突起７ｂと１０ｂ、８ｂと９ｂを介してそれぞれ４枚の羽根部材を閉じ方向に付勢するように掛けられている。１３はバリアカバーであり、一群レンズ筒１の前方外周部に取り付けられて、上記のバリア下板５、バリア上板６、主羽根部材７，８、副羽根部材９，１０及び羽根閉じばね１１により構成されるバリア装置を一群レンズ筒１に保持している。
【００１６】
以上の構成において、その作動について図１〜図３を用いて説明する。
【００１７】
図１，図２及び図３（ａ）では、カメラは非撮影状態でバリア部材（主羽根部材７，８及び副羽根部材９，１０がこれに相当する）が閉じた状態にあり、鏡筒は最も短く収納された沈胴状態にある。この状態では一群レンズ筒１に対し直進ガイド筒２は相対的に最も前進した状態にあり、バリア駆動リング３はその曲げ部３ａがカム部２ａの作用により羽根開きばね４の付勢力に抗して時計方向へ回転した状態で停止している。よって、この状態ではバリア部材は閉状態となっている。
【００１８】
上記の状態からカメラを作動状態とするためには、鏡筒を前方へ繰り出し、前記バリア部材を開口させる必要があるが、その際の動作について説明する。
【００１９】
カメラスタンバイ動作の鏡筒繰り出しにより直進ガイド筒２は一群レンズ筒１に対し相対的に後方へ後退し、バリア駆動リング３はその曲げ部３ａがカム部２ａに沿って羽根開きばね４の付勢力に従って反時計方向へ回転する。すると、バリア駆動リング３の端面３ｃが主羽根部材７，８の突起７ｃ，８ｃを押し、主羽根部材７，８を羽根閉じばね１１の付勢力に抗してそれぞれ開き方向に回動させる。この主羽根部材７，８の開き方向の回動に追従して、副羽根部材９，１０は前記主羽根部材７，８の外縁カム部７ｄ，８ｄに沿って開き方向へ回動し、図３（ｂ）に示すように全開する。つまり、副羽根部材９，１０は主羽根部材７，８により駆動され、全開することになる。
【００２０】
以上のようにして、鏡筒の動きに連動して、バリア部材が開口して撮影可能な状態となる。
【００２１】
次に、カメラが非撮影状態となる場合について述べる。
【００２２】
鏡筒の沈胴動作により、直進ガイド筒２は一群レンズ筒１に対し相対的に前方へ前進し、バリア駆動リング３はその曲げ部３ａがカム部２ａに沿って羽根開きばね４の付勢力に抗して時計方向へ回転する。すると、バリア駆動リング３の端面３ｃが主羽根部材７，８の突起７ｃ，８ｃからは離れる方向へ移動し、主羽根部材７，８は羽根閉じばね１１の付勢力によりそれぞれ閉じ方向へ回動する。主羽根部材７，８の回転に追従して、副羽根部材９，１０も主羽根部材７，８の外縁カム部７ｄ，８ｄに沿って閉じ方向へ回動し、バリア部材は閉成する（図３（ｂ）→図３（ａ））。
【００２３】
以上のように、光軸１２と略直交する同一平面上を開閉駆動するように構成された主羽根部材７，８と副羽根部材９，１０よりバリア部材を構成し、前記副羽根部材９，１０は前記主羽根部材７，８の動きに追従して、前記光軸１２と略直交する同一平面上を開閉駆動するようにしているので、バリア部材の開方向の駆動は前記主羽根部材７，８だけを駆動すればよく、複雑な機構を必要とする事がなくなる。
【００２４】
また、主羽根部材７，８と副羽根部材９，１０は光軸１２と略直交する同一平面上を開閉駆動するので、光軸方向の重なりがなく、厚み（光軸）方向に省スペースな構成が可能となり、鏡筒がコンパクトになる。
【００２５】
また、主羽根部材７，８および副羽根部材９，１０は光軸と平行な回転軸７ａ，８ａ，９ａ，１０ａを中心に回転駆動するので、最も簡単で駆動効率の良い回転運動にてすべての羽根が構成されているため、保持機構の簡素化と駆動効率の向上を図ることができる。
【００２６】
また、主羽根部材７，８と副羽根部材９，１０との間に掛けられた一つのばね部材（羽根閉じばね１１）によりそれぞれの羽根部材が閉方向に付勢されているので、機構構成の簡素化と組み立ての簡単化を図ることができる。
【００２７】
なお、上記実施の形態では、羽根開きばね４はバリア部材に対して開き方向に作用し、羽根閉じばね１１はバリア部材に対して閉じ方向に作用する構造にしているが、それぞれの作用を逆にして、４のばね部材をバリア部材に対して閉じ方向に作用させ、１１のばね部材をバリア部材に対して開き方向に作用させる構造にしても、その効果は同様である。
【００２８】
また、上記実施の形態では、バリア部材を、２枚の主羽根部材と２枚の副羽根部材より構成しているが、これに限定されるものではなく、それぞれの羽根の総枚数を少なくとも３枚以上とする構成にすることも可能である。
【００２９】
【発明の効果】
以上説明したように、請求項１又は２に記載の発明によれば、少なくとも３枚の羽根部材より成るバリア部材を有しながら、構成の簡素化、小型化を達成しかつ大きな撮影開口を得ることができるカメラのバリア装置を提供できるものである。
【００３０】
また、請求項３に記載の発明によれば、主羽根部材と副羽根部材の保持機構の簡素化と羽根部材の開閉の効率化を図ることができるカメラのバリア装置を提供できるものである。
【００３１】
また、請求項４に記載の発明によれば、構成の簡素化と組立の簡単化を図ることができるカメラのバリア装置を提供できるものである。
【図面の簡単な説明】
【図１】本発明の実施の一形態に係るカメラに具備されたバリア装置及び鏡筒機構の一部を示す分解斜視図である。
【図２】図１のバリア装置の主要部分を示す斜視図である。
【図３】図１及び図２のバリア部材の閉又は開状態を示す正面図である。
【符号の説明】
１        一群レンズ筒
２        直進ガイド筒
３        バリア駆動リング
４        羽根開きばね
５        バリア上板
６        バリア下板
７，８    主羽根部材
９，１０  副羽根部材
１１      羽根閉じばね
１２      光軸
【図１】
0004174142.tif 000002
【図２】
0004174142.tif 000003
【図３】
0004174142.tif 000004